(57)【特許請求の範囲】
【請求項１】
ティッシュペーパーが収納される直方体状のティッシュボックスにおいて、
前記ティッシュペーパーを取り出すための透明フィルムが設けられた天面部の開口部を覗き窓とし、一対の側面部を耳当てとし、装着者の顔を覆うマスクとして展開可能とし、  前記天面部と反対側となる底面部の一部または全部を帯状紐部として、前記一対の側面部に繋がった状態で、正面部と背面部とを切り離したティッシュボックス。
【請求項２】
前記天面部を含む面のおもて面または裏面に、顔を象った図形が付与されている請求項１記載のティッシュボックス。
【発明の詳細な説明】
【技術分野】
【０００１】
本発明は、ティッシュペーパーを使い終わった後に再利用することができるティッシュボックスに関するものである。
【背景技術】
【０００２】
ティッシュペーパーを使い終わるとティッシュボックスは捨てられるが、再利用することができるものが知られている。例えば、特許文献１には、ティッシュペーパーを使い終わった後にごみ箱として使用することができる「再利用可能なティッシュペーパー箱」が記載されている。
【０００３】
ところで、顔を覆うマスクは、顔を保護するものやお祭りなどの玩具として販売されるものとして知られている。
従来のマスクとして、例えば、特許文献２には、透明のシートやマスクにひもを取付け、料理の際に顔に装着して、やけどなどを防ぐことができる「湯お湯お料理素材が顔や首に飛び散らないように防止するマスク」が記載されている。
【０００４】
また、特許文献３には、上面が開口した細長い直方体状の内箱と、内箱が嵌合する角筒状の蓋体とからなる厚紙を折って形成した菓子や寿司等の簡易食品箱であって、蓋体のシート基材に仮面模様を付すとともに、仮面模様の目玉部周縁に断続スリット又はミシン孔からなる分離孔を設け、シート基材の左右両側に輪ゴムや紐等を掛ける第１係止部を設けた「簡易食品箱」が記載されている。
【先行技術文献】
【特許文献】
【０００５】
【特許文献１】特開平１１−１５２１６７号公報
【特許文献２】特開２００７−４８１３４号公報
【特許文献３】特開２００６−３１５７４３号公報
【発明の概要】
【発明が解決しようとする課題】
【０００６】
しかし、特許文献２に記載のマスクでは、顔を覆うことで、油の飛び散りを避けることができるものの、材料として、透明プラスチックや透明樹脂，透明ビニールシートなどの素材を用いており、省資源化か進められている中で再利用したものではないため、環境保全の観点からあまり適したものといえない。
また、特許文献３に記載の簡易食品箱は、空き箱を再利用する点において省資源に配慮されたものといえるが、この簡易食品箱を保護するマスクとしては、目の部分を繰り抜いて形成するため、目が露出するおそれがあり、油の飛び散りを防止するという目的には使用しにくい面がある。
【０００７】
そこで本発明は、ティッシュを使い終わった後にマスクとして有効活用することができるティッシュボックスを提供することを目的とする。
【課題を解決するための手段】
【０００８】
本発明のティッシュボックスは、ティッシュペーパーが収納される直方体状のティッシュボックスにおいて、前記ティッシュペーパーを取り出すための透明フィルムが設けられた天面部の開口部を覗き窓とし、一対の側面部を耳当てとし、装着者の顔を覆うマスクとして展開可能としたものである。
本発明によれば、展開することで、天面部が目に位置し、両側面部が耳に位置することで、透明フィルムから前方を確認しながら顔全体を保護することができる。
【０００９】
前記一対の側面部と前記天面部の前側の長辺に繋がる正面部とを切り離すための第１のミシン目と、前記一対の側面部と前記天面部の後ろ側の長辺に繋がる背面部とを切り離すための第２のミシン目と、前記一対の側面部と前記天面部と反対側となる底面部とを切り離すための第３のミシン目と、前記正面部と前記背面部とを切り離すための第４のミシン目とが設けられたものとすることができる。第１〜第４のミシン目を切り離して展開すれば、顔全体を覆うマスクとすることができる。
【００１０】
前記第４のミシン目は、前記正面部と前記底面部との間の折り曲げ位置、または前記背面部と前記底面部との折り曲げ位置に設けると、底面部を正面部から切り離して背面部に繋がった状態としたり、背面部から切り離して正面部に繋がった状態としたりすることができる。
【００１１】
前記一対の側面部に、耳に掛けるリング体を取り付けるための穴が設けられていると、リング体を耳に掛け回すことで、展開したティッシュボックスを顔に取付け装着することができる。
【００１２】
前記一対の側面部に、耳に掛けるために、円弧状またはコ字状の第５のミシン目が設けられていると、耳たぶを側面部に嵌め込むことができるので、顔の小さい子供であっても、展開したティッシュボックスを顔に取付け装着することができる。
【００１３】
前記底面部の一部または全部を帯状紐部として、前記一対の側面部に繋がった状態で、前記正面部と前記背面部とを切り離したものとすることができる。底面部を帯状紐部として一部または全部を残すことで、帯状紐部を装着者の後頭部に回す装着用バンドとすることができるので、輪ゴムなどを準備することなくマスクを装着することができる。
【００１４】
前記天面部を含む面のおもて面または裏面に、顔を象った図形が付与されていると、小さい子供は顔を保護するマスクとするだけでなく、玩具のお面としても使用することができる。
【発明の効果】
【００１５】
本発明のティッシュボックスによれば、ミシン目に沿って展開することで、透明フィルムから前方を確認しながら顔全体を保護することができるので、ティッシュを使い終わった後にマスクとして有効活用することができる。
【図面の簡単な説明】
【００１６】
【図１】本発明の実施の形態１に係るティッシュボックスを示す図であり、（Ａ）は正面部側から見た斜視図、（Ｂ）は背面部側から見た斜視図である。
【図２】図１に示すティッシュボックスの展開した状態のおもて面側の図である。
【図３】本発明の実施の形態２に係るティッシュボックスを示す図であり、（Ａ）は正面部側から見た斜視図、（Ｂ）は背面部側から見た斜視図である。
【図４】図３に示すティッシュボックスの展開した状態の裏面側の図である。
【図５】本発明の実施の形態３に係るティッシュボックスを展開した状態を示す正面部側から見た斜視図である。
【図６】図５に示すティッシュボックスの展開した状態の裏面側から見た斜視図である。
【図７】（Ａ）〜（Ｄ）は、本発明の実施の形態３に係るティッシュボックスの変形例を示す裏面側から見た斜視図である。
【発明を実施するための形態】
【００１７】
（実施の形態１）
本発明の実施の形態１に係るティッシュボックスについて図１および図２に基づいて説明する。なお、図１においては、ミシン目を点線にて示している。
図１（Ａ）および同図（Ｂ）に示すように、ティッシュボックスＢ１は、ティッシュペーパーが収納される直方体状の紙製の箱である。ティッシュボックスＢ１は、天面部１と、一対の側面部２，３と、正面部４と、背面部５と、底面部６との六面により形成されている。
【００１８】
天面部１には、ティッシュペーパーを取り出すための開口部１ａが形成されている。この開口部１ａには、スリット穴１ｂを有する透明フィルム１ｃが設けられている。
側面部２，３は、天面部１の両短辺に繋がっている。正面部４は、天面部１の前側の長辺に繋がっている。背面部５は、天面部１の後ろ側の長辺に繋がっている。底面部６は天面部１の反対側に位置している。
【００１９】
このティッシュボックスＢ１には、第１から第４のミシン目Ｍ１〜Ｍ４が設けられている。第１のミシン目Ｍ１は、側面部２，３と正面部４とを切り離すために、側面部２，３と正面部４との間の折り曲げ位置に設けられている。
第２のミシン目Ｍ２は、側面部２，３と背面部５とを切り離すために、側面部２，３と背面部５との間の折り曲げ位置に設けられている。
第３のミシン目Ｍ３は、側面部２，３と底面部６とを切り離すために、側面部２，３と底面部６との間の折り曲げ位置に設けられている。
第４のミシン目Ｍ４は、正面部４と底面部６とを切り離すために、正面部４と底面部６との間の折り曲げ位置に設けられている。
側面部２，３には、穴２ａ，３ａが設けられている。本実施の形態１では、略楕円状の穴２ａ，３ａとしているが、略楕円状の穴２ａ，３ａを切り取れるようなミシン目としてもよい。
【００２０】
このようなティッシュボックスＢ１を、ティッシュペーパーを使い終わった後に、第１のミシン目Ｍ１から第４のミシン目Ｍ４を切り離して展開し、顔の小さい大人や子供であれば穴２ａ，３ａに耳を嵌めこむ。また、顔の大きい大人であれば、リング体の一例である輪ゴムＧを穴２ａ，３ａに通すと、図２に示すような状態となるので、顔にティッシュボックスＢ１を装着することができる。
【００２１】
このティッシュボックスＢ１を顔に当て、穴２ａ，３ａに耳を嵌めたり、輪ゴムＧを耳に掛けたりすると、天面部１が目に位置し、両方の側面部２，３がそれぞれの耳に位置し、正面部４が頭部に位置し、背面部５が鼻に位置し、そして底面部６が顎から首にかけて位置することで、透明フィルム１ｃが覗き窓になり、両方の側面部２，３が耳当てなって、ティッシュボックスＢ１を透明フィルム１ｃから前方を確認しながら顔全体を保護するマスクとすることができる。
【００２２】
従って、天ぷらやフライなどの油料理の際に、透明フィルム１ｃにより前方を確認しながら料理することができ、油が飛び散っても透明フィルム１ｃが目を保護するので安心である。このようにティッシュボックスＢ１は、ティッシュペーパーを使い終わった後にマスクとして有効活用することができる。また、ティッシュボックスＢ１は、玩具のお面としても使用することができる。
【００２３】
なお、本実施の形態１では、第４のミシン目Ｍ４を正面部４と底面部６との折り曲げ位置に設けていたが、背面部５と底面部６との折り曲げ位置に設けてもよい。その場合には、図２に示す展開図では、底面部６が正面部４に繋がることになるので、上下を反対にすればよい。
また、本実施の形態１では、穴２ａ，３ａを耳に嵌め込むことができる程度の大きさとしているが、輪ゴムＧが通せる程度の小さい穴としてもよい。
【００２４】
（実施の形態２）
本発明の実施の形態２に係るティッシュボックスについて、図３および図４に基づいて説明する。なお、図３および図４については、図１および図２と同じ構成のものは同符号を付して説明を省略する。
【００２５】
図３に示すティッシュボックスＢ２は、側面部２，３に耳に掛けるための第５のミシン目Ｍ５が設けられている。この第５のミシン目Ｍ５は、天面部１側が繋がった円弧状としたり、コ字状としたりすることができる。
【００２６】
この側面部２，３に設けられた第５のミシン目Ｍ５が設けられていることで、第５のミシン目Ｍ５を切り離して顔と反対側へ押し出し、第５のミシン目Ｍ５を切り離すことでできる耳用の穴２ｂ，３ｂに耳を掛ければ、押し出し片２ｃ，３ｃが耳の前に位置するので、油の飛び散りから耳を保護する耳のカバーとすることができる。
【００２７】
ティッシュボックスＢ２は、側面部２，３に耳に掛ける耳用の穴２ｂ，３ｂが設けられていることで、図２に示すティッシュボックスＢ１と比べて、耳の間隔が狭い。従って、ティッシュボックスＢ２は、子供や顔が小さい大人でも装着することができる。
このようにティッシュボックスＢ２は油料理の際に顔を保護するマスクとして機能するだけでなく、ティッシュボックスＢ２の裏面には、顔を含む図形が象られているので、装着する子供は塗り絵などで楽しむことができ、玩具のお面としても使用することができる。
【００２８】
なお、本実施の形態２では、図形が塗り絵を楽しむために輪郭線で付与されているが、絵や写真としてもよい。また、図形がティッシュボックスＢ２の裏面に付与されているが、おもて面に付与するようにしてもよい。また、図形は実施の形態１に係るティッシュボックスＢ１に付与してもよい。
また、本実施の形態２では、穴２ｂ，３ｂに直接耳を嵌め込むことを例に説明したが、図２に示すように、顔の大きい大人であれば、輪ゴムを穴２ｂ，３ｂに取り付けて顔に装着するようにしてもよい。
【００２９】
（実施の形態３）
本発明の実施の形態３に係るティッシュボックスについて、図５および図６に基づいて説明する。なお、図５および図６については、図１から図４と同じ構成のものは同符号を付して説明を省略する。また、図５および図６においては、おもて面または裏面に付与した絵や写真は省略している。
図５および図６に示す本実施の形態３に係るディッシュボックスＢ３は、底面部６に帯状紐６１を確保して装着用バンドすることを特徴とするものである。
【００３０】
第３のミシン目Ｍ３ｘは、一対の側面部２，３と底面部６とのそれぞれの間の折り曲げ位置の一部を接続部６１ａとして残して、底面部６と側面部２，３と切り離すものである。
第４のミシン目Ｍ４ｘは、接続部６１ａが一対の側面部２，３に繋がった状態で、接続部６１ａ同士の間を帯状紐部６１として、帯状紐部６１の長手方向に沿った上端辺となる正面部４と底面部６（帯状紐部６１）との間の折り曲げ位置と、帯状紐部６１の長手方向に沿った下端辺となる位置とに形成されている。
【００３１】
このように、底面部６を帯状紐部６１として一部を残すことで、帯状紐部６１を装着者の後頭部に回す装着用バンドとすることができるので、輪ゴムなどを準備することなくマスクを装着することができる。
【００３２】
本実施の形態３では、帯状紐部６１が底面部６の上端位置であるため、帯状紐部６１を除いた底面部６の残余部分の全部が背面部５に繋がっている。
そうすることで、目の位置から顎の位置までの長さが長いマスクとして好適であるが、図７（Ａ）に示すように、装着者の頭頂部を覆い隠すために、帯状紐部６１を底面部５の中間位置とすることもできる。この場合、一対の第４のミシン目Ｍ４ｘが、底面部６の中間位置となることで、帯状紐部６１を除いた底面部６の上側残余部分６ａは正面部４に繋がった状態となり、底面部６の下側残余部分６ｂは背面部５に繋がった状態となる。
【００３３】
また、図７（Ｂ）に示すように、帯状紐部６１を底面部５の下端位置とすることもできる。この場合、一対の第４のミシン目Ｍ４ｘのうち、一方の第４のミシン目Ｍ４ｘを、帯状紐部６１の長手方向に沿った下端辺となる背面部５と底面部６との間の折り曲げ位置に形成し、他方の第４のミシン目Ｍ４ｘを、帯状紐部６１の幅分の上方位置に形成する。
そうすることで、帯状紐部６１を除いた底面部６の残余部分の全部が正面部４に繋がった状態となるため、装着者の頭頂部を広く覆い隠すことができる。また、上下を逆さまにすれば、図５および図６に示すマスクと同じとなる。
【００３４】
更に、本実施の形態３では、帯状紐部６１の幅を底面部６の一部としているが、図７（Ｃ）に示すように、底面部６の全部を帯状紐部６１としてもよい。
そうすることで、後頭部を幅広く覆うことができるのでずれにくい。また、帯状紐部６１の下端が首筋に引っ掛かれば、ずれの防止にもなる。
この場合、一対の第４のミシン目Ｍ４ｘのうち、一方が正面部４と底面部６との間の折り曲げ位置となり、他方が背面部５と底面部６との間の折り曲げ位置となる。
【００３５】
また、上記例では、帯状紐部６１を１本としているが、図７（Ｄ）に示すように、底面部６に２本またはそれ以上の帯状紐部６１を形成するようにしてもよい。この場合、帯状紐部６１の間の矩形状領域は切除される。
帯状紐部６１を複数設けることで、帯状紐部６１を略球面である後頭部にフィットさせることができる。
【産業上の利用可能性】
【００３６】
本発明は、ティッシュペーパーが収納された様々なティッシュボックスに好適である。
【符号の説明】
【００３７】
Ｂ１，Ｂ２，Ｂ３  ティッシュボックス
１  天面部
１ａ  開口部
１ｂ  スリット穴
１ｃ  透明フィルム
２，３  側面部
２ａ，３ａ  穴
２ｂ，３ｂ  穴
２ｃ，３ｃ  押し出し片
４  正面部
５  背面部
６  底面部
６１  帯状紐
６ａ  上側残余部分
６ｂ  下側残余部分
Ｍ１  第１のミシン目
Ｍ２  第２のミシン目
Ｍ３，Ｍ３ｘ  第３のミシン目
Ｍ４，Ｍ４ｘ  第４のミシン目
Ｍ５  第５のミシン目
Ｇ  輪ゴム
【図１】
0005306522.tif 000002
【図２】
0005306522.tif 000003
【図３】
0005306522.tif 000004
【図４】
0005306522.tif 000005
【図５】
0005306522.tif 000006
【図６】
0005306522.tif 000007
【図７】
0005306522.tif 000008